(57)【要約】【課題】物体の色は光源また見る人の眼によって微妙に違って見える。これまでは色が合わない原因が眼なのかあるいは光源によるのかの区別ができなかった。その理由は、これまで、眼の厳密な色覚特性を簡単に見いだす方法がなかったからである。本発明は、その眼がＣＩＥ標準観測者と色覚が一致するかどうか、一致しなければ、どの色がどの方向にどの程度色ズレをおこすのか、そして眼で光源の光色を、更にフィルムやデジカメ、スキャナの色再現特性を視感で厳密に検査できる方法の開発を課題とする。【解決手段】主な標準色票片の現物を、規定の光源下で条件等色する、色度は同じだが分光カーブが異なるＣＭＹインキ色を中心において三原色比率を縦横にプラスマイナス方向に微妙に変化させたカラーチャート上で視感等色するチャート位置の色度（ｘｙ値，ａｂ値）から、その眼がＣＩＥ標準観測者と色覚が一致するかどうか、しなければ、どのいろの方向に色ズレがおこるか、また光源の光色を、更にフィルムやデジカメ、スキャナの色再現特性を視感でかなり厳密に検査可能にする。【選択図】　　図３
2004109098.tif 000002
【特許請求の範囲】
【請求項１】
代表的なたとえばＪＩＳ標準色票片と、各種光源において該標準色票片と色度が一致するＣＭＹ混色系インキで製作したインキ色部分を中心に、その周辺に該色度を画像処理において微妙に変換してその近似色を配したカラーチャートとを視感で色合わせし、等色する該チャート色部分がもつ色度（ｘｙ、ａｂ）を参照してＣＩＥ標準観測者との眼の色特性の相違を検出するとともに、チャートを撮影・取り込むことによりカメラ、スキャナ等の機器色再現における色ずれの程度と方向を視感検出可能とすることを特徴とする、眼、光源、機器の色特性検出法。
【発明の詳細な説明】
【０００１】
【発明の属する技術分野】
本発明は、視感により眼また光源の色特性、またフィルム、デジタルカメラ、スキャナなどの機器色再現における色ズレ等の色再現特性を検出するその検査法に関わる。
【０００２】
【従来の技術】
従来は、色ずれを判定するには、撮影されたカラーチャート複製の色度を分光光度計などで測定する方法があるが、視感により眼また光源の色特性、またフィルム、デジタルカメラ、スキャナなどの機器色再現における色ズレ等の色再現特性を簡易、しかも厳密に検査する方法がなかった。
【０００３】
【発明が解決しようとする課題】
本発明は、従来の視感判定法では解決し得なかった個人の眼の色特性、光源の色質、機器色再現の色特性を筒易に視感により問題解決をはかることを目的としている。
【０００４】
従来の方法では、判定には高価な測定機が必要であった。また同一出願人による先願（平成１４年８月１４日／手補正同１９日）では、種々の色が、それぞれの眼、それぞれのカメラやフィルム、スキャナ機器によってどのように色ずれを生じるか、また光源特性の厳密な判定はできなかった。
【０００５】
したがって、自分の目が、種々の色に対してどのような感じ方をするのかを知る方法がなかった。また、色再現機器の色ずれも測定機器なしにはできないという状態にあり、また測定器があっても、測定結果が納得できない場合が生じることがあった。また光源の色度や色温度は、視感では正確には把握することはできなかった。
【０００６】
そこで本発明は、測定機器なしに、視感判定で、眼の色の感じ方、光源の色特性、機器色再現の特性を容易確実に判定可能とする簡易な検査法を開発することを目的としている。
【０００７】
【課題を解決する為の手段】
そこで本発明では、代表的な標準色票を選び、判定する各種光源下において、代表的なたとえばＪＩＳ標準色票片と、各種光源下において該標準色票片と色度が一致するＣＭＹ混色系インキで製作したインキ色部分を中心に、その色度を画像処理のカラーバランス調整においてその三原色比率を微妙に色変換して作成したカラーチャートを視感で色合わせして、等色する該チャート色部分のすでに測定されている色度（ｘｙ、ａｂ）からＣＩＥ標準観測者との眼の色特性の相違を検出するとともに、カメラ、スキャナ等の機器色再現における色ずれの程度と方向を視感によって検出可能とすることによって、上記問題を解決している。
【０００８】
すなわち、本発明では、たとえば代表的標準色票として５Ｒ、５ＹＲ、５Ｙ、５ＧＹ、５Ｇ、５ＢＧ、５Ｂ、５ＰＢ、５Ｐ、５ＲＰの１０色の純色を選び、その色度を標準光源およびたとえば色評価用蛍光灯５０００度ｋ、５、５００度ｋ等の実用光源における各色度を測定し、該色度と一致または近似するようＣＭＹ混色系インで印刷した色部分を中央部におき、その色度を画像処理においてたとえば横軸にＢ（Ｙ）、縦軸にＧ（Ｍ）またはＲ（Ｃ）のをとってそのカラーバランスをプラスマイナス方向に微妙に色変換させてカラーチャートとを製作する。
【０００９】
そのカラーチャートは中央の周辺に近似色が配列されるので、該標準色票とそのカラーチャートを視感比色させ、等色する位置の該チャート部分の色度から、その眼がＣＩＥ標準観測者と一致するかどうか、色ずれがあるとすればどの方向にどの程度の色ずれが生じるかを判定するとともに、カラーフィルム、デジタルカメラ、スキャナによる色再現（機器色再現）おいては、無彩色（グレイ基準）とともに撮影または取り込まれた該グレイ基準が正しくグレイバランスした状態において、標準色票片の色再現部分と色が視感で（または機器判定において）一致するチャート色部分の位置からその色度差を見い出すことにより各機器および色材による色ずれの方向と色ずれの程度を検出可能になるよう構成してある。
【００１０】
【作用】
本発明で使用するカラーチャートは、標準色票片と、それとＣＭＹインキによる印刷されたチャートのインキ色がある光源下において視感で一致もしくは近似（条件等色）する色を中心においてその色度がプラスマイナス方向に微妙に変換された色から構成されている。その色度が等しい両者はたとえ色度が等しくても分光カーブが異なるゆえに、見る眼と光源が変われば両者は等しく見えない関係にある。
【００１１】
観測者の色覚がＣＩＥの標準的観測者と同様であれば規定の光源において両者が等しく見える位置でその色度値（ｘｙ値，ａｂ値）が一致し、その色（図１においては５Ｒ）において色ずれはない、すなわちＣＩＥ標準観測者と同じであると判定することができる。
しかし、規定の光源下において等色する位置がＣＩＥのそれと異なる場合は、その眼の分光感度（カーブ）が標準観測者のそれと相違しているということであり、その色度差から色ずれの方向と程度が判明することになる。
【００１２】
そして、１０色全色に対して判定をおこなえば、全色についての判定結果が得られ、もし色ズレがあるとすれば、カラーフィルムの判定結果と同様な色度図上にて、どの色に対してどの程度の色ズレが起こるかという判定結果の表示が可能になる。
また、色は光源によって変わり、色度値も異なるために等色する位置も異なってくる。そこで、光源を変え、多数の光源で判定することにより、より確度の高い色覚の判定と検証が可能になり、こうして本発明では眼と光の色特性を視覚的ながら論理的、科学的に多角的に追いつめていくことが可能になる。
また、カメラ、フィルム等の機器色再現においては、撮影取り込み後、プリントまたは画像処理において、同時に撮影取り込みされたグレイ基準が正しく無彩色（Ｌａｂ調整ではａｂを０）に調整された条件で、その画面の標準色票と近似する色部分の色度から色ずれの程度と方向が判定可能になる。
【００１３】
【実施例】
図１は、本発明のカラーチャート部の一実施例であり、図２はそのカラーチャート板１の上で標準色票片１２を有して上下に移動させ比色・等色ができるようにしたスライド板１０を上下方向にスライドさせることによって、標準色票片とカラーチャート各部の色と比色、等色が可能になる。
【００１４】
カラーチャート板１には、各色相ごとに有彩色は５Ｒから５ＲＰまでの１０枚が用意される。標準色票片は各チャートごとに７位置およびスライド板１０の１２位置にもたらされている。図１はチャート番号１の５Ｒ（赤）であり、チャート部の７、スライド板１０の１２に５Ｒの標準色票の現物がもたらしてある。チャート部２はパソコンの画像処理と印刷により製作されたもので、その中央位置３に規定光源において該標準色票と色度が等しいインキ色を配し、その周辺に中央から離れるほど色度差が大きくなるよう、たとえばＬａｂモードにより横軸にａ（表示は記号ＪＫＬＭ〜）、縦軸にｂ（表示は数字１、２、３、〜）をとって中央の色の色度がプラスおよびマイナス方向に変換された色がＣＭＹインキの混色によってもたらされている。規定光源は実用上、たとえばＢ光源、Ｄ５０とすることができる。
【００１５】
眼の色ずれ判定には、その規定光源下で、スライド板のツマミ１１をチャート板の上で上下さて、標準色票片１２（７も同じ）に最も近く見える部分を捜す。もし等色する位置が中央位置でなら、両者は同じ色度をもっているから、標準観測者と等しい、すなわち、その色（この場合は５Ｒ）に関しての色ずれはないことが判明する。
【０００１６】
本発明では、カラーチャート各部の色度が測定されてカラーチャートと同じ関係でチャート状に表示してあるので、等色部分の位置からその色度を色度図にブロットすることにより色ずれの程度と方向が判明する。
【００１７】
したがって、５Ｒから５ＲＰまでの基本１０色についてチェックを行えば、これまで、容易には判定できなかった人の眼の色覚特性が全色方向にわたって検査することが可能になる。そして、全色に色ずれのない眼によっては、無彩色の標準色票と該無彩色と等しい色度を有するインキ色を変換した無彩色用チャートとをもって判定すれば、等色する位置の色度から、照明している光源の色特性が判定可能になる。
【００１８】
すなわち、チャート各部の色度は測定光源の種類によって異なるので、光源が変わると等色する位置も変わり、したがって、各種光源のデータを参照することにより、眼が標準観測者と同じなら、各種チャートの使用により、かなり厳密な光源の色温度や等色温度線での色ずれなどを、色度図上でチェックすることにより機器測定なしに検査することが可能になり、機器測定による誤差を判定することも可能になる。
【００１９】
次に、本発明で機器色再現の特性を検査する手順を説明すると、フィルムの場合はネガ、リバーサルともに、フィルムの指定光源（で撮影し、図１の９にあるグレイ基準が正しく再現された状態において、撮影されたプリントやスライドの７および１２位置と等しく見えるチャート部分が中央（３位置）にあれば色ずれはなく、中央からずれているときは、撮影色温度における色度表の数値からどの方向にどの程度色がずれているかが、機器測定なしに視感で判定可能になる。これを１０色についておこなえば、全色の色ずれ方向と程度が視感で判明する。
【００２０】
デジタルカメラの場合も、同様に撮影してモニタに取り込み、グレイ基準９の無彩色段階を規定のＬ値に調整すれば、またプリントアウトは上記フィルムと同様に判定すれば、画像機器の、またプリントアウト材料を含めた色特性の判定が可能になる。
【００２１】
なお、以上は、５０００ｋ〜５５００ｋ近辺の光源判定使用することを前提にしてあり、また標準色票片と一致する色度を有する色部分をチャートの中心に位置させたが、光源によって等色する位置は異なりしたがって常に中央にあるのではない。
また、常に標準値が中心にあったのでは、観測者が常に中心を選択することになりかねないので、チャートを上下２段階、または３段階、あるいは左右にランダムにすらせ、観測者には標準値位置が不明の構成にすることができる。
【００２２】
図３は本発明をＣＩＥ色計算ソフトとドッキングさせた実施例であり、本体１３の上部に色相チャート１とスライド板１０を自在に交換可能とし、パワーボタン１４によって起動し、カラーチャートの種類と連動しながら、タッチパネル１５において等色した位置の記号と番号をペンでタッチし、光源切り替えボタン１６を選択して押すと、色度表示部１７において、各光源におけるＣＩＥ色度のｘｙ数値、およびａｂ数値が計算されて表示されるよう構成された電卓付き色覚判定装置である。
【００２３】
モード切り替えボタン１８によって光源色に応じた等色点位置、ｘｙ色度図上での位置、ａｂ色度図での位置、色差等が切り替え表示できる機能をもたせることにより、印刷された色度図等なしに、簡単操作で、目的とするデータの呼び出しが可能となり、迅速な色覚検査が可能となる。
【００２４】
以上は、ハンデイタイプとした例であるが、大パネルのものを製作可能であり、また、比色部は同サイズのマスクの片側に標準色票片をもたらし、素通し部にカラーチャート部分を取り込める長方形マスクを各色に対して上下左右自在に移動させて比色できる構造にすることもできる。
【００２５】
【発明の効果】
本発明の効果は、まずなによりも、これまで古今東西を通じてほとんど皆目わからなかった、それぞれの眼がはたしてＣＩＥ標準観測者と色覚が一致するものであるのかどうか、そして、一致しないならば、どの色がどのように色がずれるのかという疑問に、機器測定なしに視感でもってはじめて簡単、確実に答えることができる効果があり、それぞれの自分の眼の色特性をはじめて知ることができ、語ることができ、特性をふまえた判定と色の取り扱いをはじめて可能にする、まさに視感色彩判定を大きく改革するる画期的効果をもたらす。
【００２６】
概ね、人の視覚は似たものと考えられ、あるいはかなり異なるものと考えられてきたといえるが、その実態を掴むことができる容易、簡易、確実な方法が開発されたということにほかならない。
【００２７】
これまで、ほとんど不明であった各人の眼の特性がはじめて明白となるとともに、これにより標準観測者と等しいかどうかがわかり、一致すれば、標準色票と一致する部分の色度から光源の色質をかなり詳しく解明することができ、眼の特性が判れば標準との色ズレの方向と程度が判明するので、それを考慮した色取り扱いが可能になり、いずれにしても特性が明確になれば、眼はいずれも精度の高いカラーメーターとなる。
【００２８】
光源の色温度、標準光源との関係、色度図上での等色温度軌跡でのＧ方向とＭ方向の色ズレの程度などが、視感によってチェック可能として、機器の測定結果の検証法としても有効となり、現状生じている視感や機器測定結果の色の混乱に対して問題解決のための有効データが提供可能になる。
色彩実務においては、これまであいまいとされた視感判定が、本発明により論理的、科学的に検証可能となるので、はじめて機器測定と同列、あるいはそれ以上の厳密的判定がかのうとなるので、これまで不明とされていた問題点の多くが解明され、より精度の高い、論理的、合理的な色の取り扱いや分析、カラーマッチングが実現し、色彩判定の質を大幅に向上させることができる。
【図面の簡単な説明】
【図１】カラーチャート板の説明図。
【図２】カラーチャート板の上で、標準色票片と比色・等色させるスライド板の説明図。
【図３】色計算ソフトの機能を有する電卓つき色覚判定装置の一実施例。
【符号の説明】
１　カラーチャート板
２　ＣＭＹインキで印刷されたカラーチャート部。
３　７および１２の標準色票（図では５Ｒ）と規定光源で条件等色するインキ色部分。
４　縦軸記号。
５　チャート色相番号。
６　色相名（図では５Ｒ）。
７　その標準色票（図では５Ｒ）の現物。
８　横軸番号。
９　無彩色（グレイ）基準。
１０　スライド板。
１１　上下させるためのつまみ。
１２　標準色票片の現物（図では５Ｒ）。
１３　電卓付き色覚判定装置の本体の一実施例。
１４　パワーボタン。
１５　タッチパネル
１６　光源選択ボタン。
１７　色度表示部。
１８　モード切り替えボタン。
【図１】
2004109098.tif 000003
【図２】
2004109098.tif 000004
【図３】
2004109098.tif 000005